(57)【要約】【課題】ねじ穴を塞ぐための作業工数を削減する。【解決手段】貫通する複数のねじ穴（１ｂ〜１ｂ）を有する円筒部材（１）を備え、円筒部材（１）の内周面に複数のねじ穴（１ｂ〜１ｄ）を一体的に覆うシート（９）が取り付けられている。【選択図】図１
2009139513.tif 000002
【特許請求の範囲】
【請求項１】
貫通する複数のねじ穴を有する円筒部材を備え、
前記円筒部材の内周面に前記複数のねじ穴を一体的に覆うシートが取り付けられていることを特徴とする光学機器。
【請求項２】
前記シートに、前記円筒部材に形成された長溝との干渉を回避するための逃げ部が設けられていることを特徴とする請求項１記載の光学機器。
【請求項３】
前記シートに前記円筒部材との位置決めを行うための第１の位置決め部が設けられていることを特徴とする請求項１又は２記載の光学機器。
【請求項４】
前記円筒部材に設けられた第２の位置決め部は前記長溝の端部に形成された穴部であることを特徴とする請求項３記載の光学機器。
【請求項５】
前記シートは前記円筒部材の内周面に形成された全てのねじ穴を覆うことを特徴とする請求項１〜４のいずれか１項記載の光学機器。
【請求項６】
前記光学機器はカメラに取り付け可能なレンズ鏡筒であることを特徴とする請求項１〜５のいずれか１項記載の光学機器。
【発明の詳細な説明】
【技術分野】
【０００１】
この発明は光学機器に関する。
【背景技術】
【０００２】
従来、レンズ移動のためのフォーカス、ズーム用のモータ等を備える鏡筒が知られている（下記特許文献参照）。
【０００３】
フォーカスモータ等の部材を鏡筒にねじ止めするため、鏡筒に半径方向へ貫通する複数のねじ穴が設けられている。そのねじ穴にねじを締め込んだとき、鏡筒内に切り粉等のごみが入り込むことがある。切り粉等のごみが鏡筒内に入り込むと、レンズを介して切り粉等のごみが見えてしまう。これを防止するため、複数の各ねじ穴に遮光テープが予め個々に貼り付けられている。
【特許文献１】特開平１１−７２６９０号公報
【発明の開示】
【発明が解決しようとする課題】
【０００４】
しかし、遮光テープで一つひとつねじ穴を塞ぐ作業は煩雑であり、ねじ穴が多いときには多くの作業工数が必要であり、非常に手間がかかるという問題がある。
【０００５】
この発明の課題はねじ穴を塞ぐための作業工数を削減することである。
【課題を解決するための手段】
【０００６】
上記課題を解決するため請求項１記載の発明は、貫通する複数のねじ穴を有する円筒部材を備え、前記円筒部材の内周面に前記複数のねじ穴を一体的に覆うシートが取り付けられていることを特徴とする。
【０００７】
請求項２に記載の発明は、請求項１記載の光学機器において、前記シートに、前記円筒部材に形成された長溝との干渉を回避するための逃げ部が設けられていることを特徴とする。
【０００８】
請求項３に記載の発明は、請求項１又は２記載の光学機器において、前記シートに前記円筒部材との位置決めを行うための第１の位置決め部が設けられていることを特徴とする。
【０００９】
請求項４に記載の発明は、請求項３記載の光学機器において、前記円筒部材に設けられた第２の位置決め部は前記長溝の端部に形成された穴部であることを特徴とする。
【００１０】
請求項５に記載の発明は、請求項１〜４のいずれか１項記載の光学機器において、前記シートは前記円筒部材の内周面に形成された全てのねじ穴を覆うことを特徴とする。
【００１１】
請求項６に記載の発明は、請求項１〜５のいずれか１項記載の光学機器において、前記光学機器はカメラに取り付け可能なレンズ鏡筒であることを特徴とする。
【発明の効果】
【００１２】
この発明によれば、ねじ穴を塞ぐための作業工数を削減することができる。
【発明を実施するための最良の形態】
【００１３】
以下、この発明の実施の形態を図面に基づいて説明する。
【００１４】
図１はこの発明の一実施形態に係るレンズ鏡筒の断面を示す概念図である。
【００１５】
このレンズ鏡筒（光学機器）ＬＢは円筒部材１とＭＦ環２とフォーカス移動部材３とフォーカス回転部材４とを備えている。
【００１６】
ＭＦ環２は手で光軸Ｌを中心に回転させてフォーカシングを行うための環状の操作部材であり、円筒部材１の外周面に回転可能に嵌合している。ＭＦ環２は金属製でも、プラスチック製でもよい。
【００１７】
円筒部材１の後端部にはカメラＣのマウント（図示せず）に装着するためのマウント部材８がビス１５で取り付けられている。円筒部材１には固定レンズ群Ｌ１，Ｌ３が保持されている。
【００１８】
円筒部材１の外周面にはフォーカス回転部材４が摺動可能に嵌合している。円筒部材１の外周面に形成されためねじ部（ねじ穴）１ｄには固定ピン１３のねじ部１３ｃがねじ込まれている。固定ピン１３の頭部１３ｂはフォーカス回転部材４の内周面に形成された円周溝４ｃに対して摺動可能に係合している。そのため、フォーカス回転部材４は光軸Ｌ方向へ移動することなく光軸Ｌを中心に回転する。フォーカス回転部材４には光軸Ｌ方向へ延びる３本の直進溝４ａが形成されている。３本の直進溝４ａは円筒部材１に設けられた３本のリード溝（長溝）１ｅとそれぞれクロスする。
【００１９】
円筒部材１の内周面にはフォーカス移動部材３が摺動可能に嵌合している。フォーカス移動部材３はフォーカスレンズ群Ｌ２を保持する。
【００２０】
フォーカス移動部材３に形成されためねじ３ａにはフォーカス用のピン１４のねじ部１４ｃがねじ込まれている。ピン１４の頭部１４ｂはリード溝１ｅを通って直進溝４ａに達し、両溝４ａ，１ｅに対して摺動可能に係合している。フォーカス回転部材４が回転したとき、フォーカスレンズ群Ｌ２が回転しながら光軸Ｌ方向へ移動し、フォーカス動作が行われる。
【００２１】
フォーカス移動部材３の内周面には遮光シート１０が貼り付けられている。遮光シート１０によって、ピン１４をめねじ３ａにねじ込んだときに切り粉等のごみがフォーカス移動部材３内に入り込むのを阻止することができる。なお、遮光シート１０は円筒部材１内での反射によるゴーストを防止できる反射率の低い黒色のシートである。
【００２２】
円筒部材１の外周面に形成されためねじ部（ねじ穴）１ｃには固定ピン１２のねじ部１２ｃがねじ込まれている。固定ピン１２の頭部１２ｂはＭＦ環２の内周面に形成された円周溝２ｃに対して摺動可能に係合している。そのため、ＭＦ環２は光軸Ｌ方向へ移動することなく光軸Ｌを中心に回転する。
【００２３】
ＭＦ環２には超音波モータが装着されている。超音波モータはステータ７、ロータ５等からなる。ロータ５は回転連動部材１６を介してフォーカス回転部材４と結合しており、ロータ５の回転力は回転連動部材１６を介してフォーカス回転部材４に伝達される。
【００２４】
また、円筒部材１の外周面には超音波モータに電力を供給する２つの電力供給ブラシ６（図１では一方の電力供給ブラシ６だけが見える）が、円筒部材１の外周面に形成されためねじ部（ねじ穴）１ｂにねじ込まれた固定ビス１１によって固定されている。
【００２５】
円筒部材１の内周面にはすべてのめねじ部１ｂ，１ｃ，１ｄを一体的に覆う遮光シート（シート）９が貼り付けられている。遮光シート９によって固定ビス１１、固定ピン１２及び固定ピン１３をめねじ部１ｂ，めねじ部１ｃ及びめねじ部１ｄにそれぞれねじ込んだときに切り粉等のごみが円筒部材１内に入り込むのを阻止することができる。
【００２６】
図２は図１のＡ方向から見た円筒部材の展開図、図３は１つのねじ穴に１枚の遮光シートを貼り付けた状態を説明する展開図である。なお、図３において、図２と共通する部分には同一符号を付し、その説明を省略した。また、めねじ部１ｂ，１ｃ，１ｄは実際には遮光シート９で覆われて見えないが、説明の都合上実線で示した。
【００２７】
遮光シート９の後端部９ｅを円筒部材１の段差部１−１に当接させることにより、遮光シート９の光軸Ｌ方向の位置決めを行うことができる。段差部１−１は旋盤加工によって形成されている。
【００２８】
遮光シート９にはピン１４が貫通する部分にリード溝１ｅとの干渉を回避するための逃げ部９ｂが設けられている。
【００２９】
遮光シート９にはリード溝１ｅの端部に形成された穴部（第２の位置決め部）１ｆに合致可能であって逃げ部９ｂに通じる穴部（第１の位置決め部）９ａが形成されている。穴部１ｆと穴部９ａとを合致させることにより、遮光シート９の円周方向の位置決めを行うことができる。遮光シート９を円筒部材１の内周面に貼り付ける作業は、円筒部材１が単体のときに行われる。穴部１ｆと穴部９ａとを合致させ、穴部９ａに例えばピン（図示せず）を挿入し、このピンに合わせて遮光シート９を段差部１−１に当接するように円筒部材１の内周面に貼り付ける。
【００３０】
なお、図３では複数のねじ穴に遮光シート９Ａ〜９Ｉがそれぞれ貼り付けられているが、この場合上述のように１枚の遮光シート９ですべてのめねじ部１ｂ，１ｃ，１ｄを覆う場合より多くの工数が必要である。
【００３１】
上記実施形態では１枚の遮光シート９でめねじ部１ｂ，１ｃ、１ｄを一体的に覆ったが、この発明はこれに限られるものではなく、複数のめねじ部を２枚以上の遮光シートで覆うようにしてもよい。
【００３２】
次に、レンズ鏡筒の動作について説明する。
【００３３】
ＭＦ環２を手で回転させる。ＭＦ環２と超音波モータとは一体的に結合しているので、超音波モータがＭＦ環２と一体に回転する。超音波モータのロータ５は回転連動部材１６を介してフォーカス回転部材４に結合しているので、フォーカス回転部材４にＭＦ環２の回転力が伝達される。フォーカス移動部材３に固定されたピン１４は直進溝４ａとリード溝１ｅとに摺動可能に係合しているので、ＭＦ環２が光軸Ｌを中心に回転したとき、フォーカス移動部材３は回転しながら固定レンズ群Ｌ２と一体にリード溝１ｅに沿って光軸Ｌ方向へ移動し、フォーカシングが行われる。
【００３４】
この実施形態によれば、１枚の遮光シート９で全てのめねじ部１ｂ，１ｃ，１ｄを覆うようにしたので、遮光シート９でめねじ部を塞ぐ際の作業工数を削減することができる。
【００３５】
また、円筒部材１の段差部１−１に遮光シート９を当接させ、穴部１ｆと穴部９ａとを合致させるだけで、遮光シート９を精度良く円筒部材１の内周面に貼り付けることができる。
【図面の簡単な説明】
【００３６】
【図１】図１はこの発明の一実施形態に係るレンズ鏡筒の断面を示す概念図である。
【図２】図２はＡ方向から見た円筒部材の展開図である。
【図３】図３は１つのねじ穴に１枚の遮光シートを貼り付けた状態を説明する展開図である。
【符号の説明】
【００３７】
１：円筒部材、１ｂ，１ｃ、１ｄ：めねじ部（ねじ穴）、１ｅ：リード溝（長溝）、１ｆ：穴部（第２の位置決め部）、９：遮光シート（シート）、９ａ：穴部（第１の位置決め部）、９ｂ：逃げ部、ＬＢ：レンズ鏡筒（光学機器）。
【図１】
2009139513.tif 000003
【図２】
2009139513.tif 000004
【図３】
2009139513.tif 000005